(57)【要約】【目的】コンパクトな空間内に収容可能であって、しかも遊技者に対する演出の効果を一層高めることのできる遊技機のステージ構造を提供することを目的とする。【構成】本発明によるステージ構造は、遊技機の遊技盤内に配置されて落下する遊技球を暫時緩動作せしめつつ当該遊技球の当選確率を変動させる振り分けステージを含むステージ構造である。水平方向に伸張する少なくとも１の側壁部を含む略平坦な下段ステージ板と、下段ステージ板の上に離間してこれに並置されて、水平方向に伸張する一対の側壁部を含む樋状の上段ステージ板と、を含む。かかるステージ構造において、上段ステージ板の後方に案内板を有するとともに、上段ステージ板と案内板との間に空隙が設けられていることを特徴とする。【選択図】図２
2006239294.tif 000002
【特許請求の範囲】
【請求項１】
遊技機の遊技盤内に配置されて落下する遊技球を暫時緩動作せしめつつ当該遊技球の当選確率を変動させる振り分けステージを含むステージ構造であって、
水平方向に伸張する少なくとも１の側壁部を含む略平坦な下段ステージ板と、
前記下段ステージ板の上に離間してこれに並置されて、水平方向に伸張する一対の側壁部を含む樋状の上段ステージ板と、を含み、
前記上段ステージ板の後方に案内板を有し、前記上段ステージ板と前記案内板との間に空隙が設けられていることを特徴とする遊技機のステージ構造。
【請求項２】
前記上段ステージ板の前記側壁部には、前記上段ステージ板の最下部をよぎるとともにその長手方向をよぎる方向に伸びる落下誘導溝を有することを特徴とする請求項１記載の遊技機のステージ構造。
【請求項３】
前記上段ステージ板は、その長手方向に向かって周期的に傾斜を変化させて山部と谷部とが連続する波状の形状を有することを特徴とする請求項１記載の遊技機のステージ構造。
【請求項４】
前記上段ステージ板の前記長手方向における両端部及び中央部に前記山部が位置することを特徴とする請求項３記載の遊技機のステージ構造。
【請求項５】
前記上段ステージ板は、前記谷部、及び、前記中央部における前記山部のそれぞれにその長手方向をよぎる方向に伸びる落下誘導溝を有することを特徴とする請求項４記載の遊技機のステージ構造。
【請求項６】
前記上段ステージ板は水平方向に伸張する一対の側壁部を有し、前記上段ステージ板の前記谷部の前記落下誘導溝は一対の前記側壁部の一方に形成されているとともに、前記山部の前記落下誘導溝は一対の前記側壁部の他方に形成されていることを特徴とする請求項５記載の遊技機のステージ構造。
【請求項７】
前記案内板は、前記下段ステージと一体であることを特徴とする請求項１記載の遊技機のステージ構造。
【発明の詳細な説明】
【技術分野】
【０００１】
本発明は、パチンコ機等の遊技機の遊技盤内に配置されて、落下する遊技球を暫時緩動作せしめつつ当該遊技球の当選確率を変動させる振り分け機構を有するステージ構造に関する。
【背景技術】
【０００２】
遊技場に設置されるパチンコ機等の遊技機において、遊技球を遊技盤の中央に区画された中央役物装置内の空間に導いて、その流路を振り分けて当該遊技球による当選確率を変動させる遊技機があった。一般的に中央役物装置内の空間は非常に狭いため、遊技球を重力方向に流下せしめてその流路を振り分けるだけでは中央役物装置内の遊技球の滞在時間が短く、しかもその動きの変化に乏しいため、遊技者に対する演出の効果に欠けていた。そこで中央役物装置の内部に重力方向と略垂直な面を有するステージを設けて、当該ステージ上に遊技球を暫時緩動作せしめて、一定時間だけステージ上で滞留させることが多く行われている。すなわち、重力方向に落下してきた遊技球、若しくは、特定の入賞口に入球してガイド樋で運ばれてきた遊技球をステージ上に導いた後に、これを一定時間、ステージ上で緩やかに運動させて滞留せしめるのである。そしてステージから特定の落下位置に向けて落下すると「あたり」として、それ以外を「はずれ」としてカウントするのである。
【０００３】
例えば、特許文献１では、遊技部から流入してきた遊技球を一旦受け止めて遊技部へ再度流下させるステージを有する中央役物装置を開示している。当該ステージは、前後方向に３段のステージに区分されており、後方から前方にかけて高さが一段づつ低くなっている。ステージの長手方向中央近傍には落とし穴が設けられていて、これに落下した遊技球は「あたり」とカウントされる。一方で、もっとも前方の低いステージから遊技部へ流下した遊技球は「はずれ」とカウントされる。すなわち、落とし穴に落下した遊技球は誘導路によって中央役物装置の下部にある電動チューリップ直上に誘導されるので、高い確率で当該電動チューリップに入球し得るのである。このように当該ステージは遊技球の流路を振り分けて当該遊技球による当選確率を変動させるのである。
【特許文献１】特開２００３−２８４８２７
【発明の開示】
【発明が解決しようとする課題】
【０００４】
上記した如く、中央役物装置内の空間は非常に狭いため、当該空間を有効に利用して遊技者に対する高い演出効果を有するステージ構造を提供することが望まれている。例えば、特許文献１に開示されたステージ構造では、遊技盤面後方から前方に向けて順に低くなる段差を有する複数のステージを設けて、しかも複数のステージを前後方向に蛇行せしめている。このように複数のステージを遊技機の前後方向に並べた場合、各ステージの前後幅は狭くなるため、遊技球は主としてステージの長手方向に沿った一次元の移動となる。各ステージ間の移動において、遊技球は前後方向への移動を許容されるが、かかる移動は例えば高い位置にある後方ステージから低い位置にある前方ステージへの移動に限定されており、設けたステージ数だけしか、かかる移動は許容されないのである。
【０００５】
本発明では、パチンコ機等の遊技機の遊技盤内に配置されて、落下する遊技球を暫時緩動作せしめて、当該遊技球の当選確率を変動させる振り分け機構を有するステージ構造であって、コンパクトな空間内に収容可能であって、しかも遊技者に対する演出の効果を一層高めることのできる遊技機のステージ構造を提供せんとするものである。
【課題を解決するための手段】
【０００６】
本発明による遊技機のステージ構造は、遊技機の遊技盤内に配置されて落下する遊技球を暫時緩動作せしめつつ当該遊技球の当選確率を変動させる振り分けステージを含むステージ構造であって、水平方向に伸張する少なくとも１の側壁部を含む略平坦な下段ステージ板と、前記下段ステージ板の上に離間してこれに並置されて、水平方向に伸張する一対の側壁部を含む樋状の上段ステージ板と、を含み、前記上段ステージ板の後方に案内板を有し、前記上段ステージ板と前記案内板との間に空隙が設けられていることを特徴とする。
【０００７】
かかる二段ステージ構造において、上段ステージ板の上に落下した遊技球は暫時緩動作せしめられるが、上段ステージ板と案内板との間に空隙が設けられているためにかかる空隙に向けても遊技球が落下していくのである。すなわち、従来、上段ステージ板の後方から前方（手前側）への一方向にのみ遊技球が落下してステージ間を移動していたが、本発明のステージ構造によれば、上段ステージ板の前方から後方へも遊技球が運動、落下して、新たな遊技球の流れが生じるのである。このようにステージ板の長手方向の両側に向けた遊技球の流れが形成されることで、遊技球の運動・落下パターンが非常に多彩となるのである。また、上段ステージ板に並置されて上段ステージ板から落下した遊技球を受容する下段ステージ板においても上段ステージ板によって与えられた運動・落下パターンの影響を受けて遊技球の運動パターンが多彩となるのである。
【発明を実施するための形態】
【０００８】
本発明による１つの実施例であるステージ構造を含む遊技機について図１乃至図６を用いて説明する。
【０００９】
特に図１に示すように、遊技機１の遊技盤１ａの中央部には、特別図柄表示装置などを含む中央役物装置２が配置されている。中央役物装置２の内部の空間２ａは、その外壁３によって遊技盤１ａの他の空間と隔てられている。中央役物装置２の周縁部には２つの入賞口４及び４’が設けられている。入賞口４及び４’は、遊技盤１ａの裏面に形成された図示しない遊技球誘導通路によって、中央役物装置２の一部を構成するステージ構造体５の内部に連通している。ステージ構造体５は上下２段からなるステージを含み、当該ステージの近傍に遊技球誘導通路に連通するステージ穴６及び６’が設けられている。中央役物装置２の下方には電動チューリップの如き、可動入賞口７が設けられている。
【００１０】
なお以下において、遊技盤１ａを正面から見て、右方向をＸ軸の正の方向、上方向をＹ軸の正の方向、奥行き方向をＺ軸の正の方向と定義する。
【００１１】
特に図２に示すように、ステージ構造体５は、中央役物装置２の一部をなしており、中央役物装置２の下部に固定されている。詳細には、ステージ構造体５は、中央役物装置２の内部の空間２ａに向けて外壁３から突出して形成されている張出部２ｃ及び２ｃ’の下部に固定されている。張出部２ｃ及び２ｃ’の内部には、入賞口４及び４’から遊技盤１ａの裏面を通って連通する遊技球誘導通路（図示せず）が延長されている。入賞口４及び４’に入った遊技球は、当該遊技球誘導通路を通って、それぞれ張出部２ｃ及び２ｃ’の下面に設けられた遊技球排出口（図示せず）から下方向へ向けて排出されるのである。
【００１２】
特に図３に示すように、ステージ構造体５の駆体は正面から（＋Ｚ方向に）見て略Ｕ字状である。駆体の左右両端部には、上部に向けて開口を設けた袋状の遊技球入口５ａ及び５ａ’が設けられている。遊技球入口５ａ及び５ａ’の側壁のうち、ステージ構造体５の中央側に位置する側壁５ａ１及び５ａ１’には矩形の貫通穴であるステージ穴６及び６’がそれぞれ設けられている。ここで、遊技球入口５ａ及び５ａ’は、張出部２ｃ及び２ｃ’の遊技球排出口に接続している（図２参照）。また、遊技球入口５ａ及び５ａ’の内部には図示しない傾斜部が形成されている。故に、入賞口４及び４’に入った遊技球は、遊技球入口５ａ及び５ａ’に導かれ、ステージ穴６及び６’から中央役物装置２の内部の空間２ａに排出されるようになっているのである。
【００１３】
続けて、図３に示すように、ステージ構造体５は上下方向に互いに離間して駆体に固設された下段ステージ板１１と上段ステージ板１２とを含む。下段ステージ板１１と上段ステージ板１２とはその伸張する長手方向が平行であって、互いに上下方向に離間して並置されており、また、長手方向の両端部同士が近接している。
【００１４】
下段ステージ板１１は、長手方向の両端部を駆体に接続されており、その上表面（特に、長手方向に伸びる中心線部分）は両端部から中央部へ向かってその高さが低下するように傾斜している。すなわち、ＸＹ断面において、開口部を上方に向けた断面略凹状（弓状、Ｕ字状）の形状を有している。故に、下段ステージ板１１上にある遊技球は、その表面に沿って、両端部から中央部へ向けて転がり落ちるのである。
【００１５】
図４に併せて示すように、下段ステージ板１１は、更に、長手方向に伸張する樋状体である。すなわち、下段ステージ板１１は、長手（Ｘ軸）方向の中心軸Ｃ１を挟んで反対側に位置し、ともに長手（Ｘ軸）方向に向けて伸張する一対の側壁部１１ａ及び１１ａ’を含み、中心軸Ｃ１近傍から側壁部１１ａ及び１１ａ’の端部方向へ向けて高さが増加しているのである。つまり、ＹＺ断面において、開口部を上方に向けた断面略凹状（弓状、Ｕ字状）の形状を有しているのである。故に、下段ステージ板１１上の側壁部１１ａ及び１１ａ’にある遊技球は、その表面に沿って、中心軸Ｃ１の方向へ向けて転がり落ちるのである。
【００１６】
翻って、図３に示すように、下段ステージ板１１の長手（Ｘ軸）方向の中央部、すなわち高さが最も低い位置において、側壁部１１ａには、中心軸Ｃ１近傍から前方（−Ｚ方向）に向けて、すなわち長手（Ｘ軸）方向をよぎる方向に向けて、下方向（−Ｙ方向）へ向けて傾斜する排出溝１１ｂが形成されている。故に、下段ステージ板１１の表面に沿って、その長手方向の両端部から中央部へ向けて転がり落ちてきた遊技球は、排出溝１１ｂに落下して中央役物装置２の前方（−Ｚ方向）に向けて排出されるのである。なお、下段ステージ板１１の最下部をよぎる方向に排出溝１１ｂを設けることで下段ステージ板１１上に遊技球が停留し続けることが防止できるのである。また、排出溝１１ｂの直下には、電動チューリップの如き、可動入賞口７が位置している（図１参照）。排出溝１１ｂは少なくとも遊技球をその中で左右（Ｘ軸）方向に運動させることの出来る程度の幅を有していることが好ましい。
【００１７】
上段ステージ板１２は、長手（Ｘ軸）方向の両端部を駆体に接続されている。また、その長手方向に周期的に変化する傾斜を有しており、正面から（Ｚ軸方向に）見て、長手方向に山部と谷部とが連続する波状の形状を有しているのである。長手方向の両端部及び中央部には山部が位置するとともに、その間には谷部が位置している。
【００１８】
再び、図４に併せて示すように、上段ステージ板１２も下段ステージ板１１と同様に、その長手方向に向けて伸張する樋状体である。すなわち、ともに長手方向に向けて伸張する一対の側壁部１２ａ及び１２ａ’を含み、中心軸Ｃ２近傍から側壁部１２ａ及び１２ａ’の端部へ向けてその高さが増加しているのである。つまり、ＹＺ断面において、開口部を上方に向けた断面略凹状（弓状、Ｕ字状）の表面形状を有しているのである。故に、上段ステージ板１２上の側壁部１２ａ及び１２ａ’にある遊技球は、その表面に沿って、中心軸Ｃ２の方向へ向けて転がり落ちるのである。
【００１９】
翻って、図３に示すように、上段ステージ板１２の２つの谷部、すなわち高さが最も低い位置において、側壁部１２ａには、中心軸Ｃ２の近傍から長手方向をよぎる方向である前方（−Ｚ方向）に向けて、下方向（−Ｙ方向）へ向けて傾斜する２つの落下誘導溝１２ｂが形成されている。故に、落下誘導溝１２ｂ内に落下した遊技球は、中央役物装置２の前方（−Ｚ方向）に向けて落下せしめられるのである。なお、上段ステージ板１２の最下部をよぎる方向に落下誘導溝１２ｂを設けることで上段ステージ板１２上に遊技球が停留し続けることが防止できるのである。
【００２０】
また、上段ステージ板１２の長手方向の中央部近傍の山部において、側壁部１２ａ’には、中心軸Ｃ２近傍から長手方向をよぎる方向後方（＋Ｚ方向）に向けて、下方向（−Ｙ方向）へ傾斜する第２の落下誘導溝１２ｂ’が形成されている。故に、落下誘導溝１２ｂ’内に落下した遊技球は、中央役物装置２の後方に向けて落下せしめられるのである。
【００２１】
なお、側壁５ａ１及び５ａ１’のステージ穴６及び６’は、上段ステージ板１２の長手方向両端部近傍にそれぞれあって、上段ステージ板１２の上方且つ中心軸Ｃ２よりも前方に位置する。故に、ステージ穴６及び６’から出た遊技球は、上段ステージ板１２の側壁部１２ａに落下して、中心軸Ｃ２の方向へ向けて転がるとともに、谷部にある落下誘導溝１２ｂの方向へ転がるのである。
【００２２】
図２乃至図４を参照すると、上段ステージ板１２の後方には下段ステージ板１１と連結されて且つＸＹ平面内において延在する案内板１３が形成されている。案内板１３と上段ステージ板１２との間には空隙１３ａが設けられている。空隙１３ａは上段ステージ板１２との間において、少なくとも遊技球が通過できる幅Ｗを有する（特に、図４参照）。
【００２３】
特に図２、図３及び図５に示すように、下段ステージ板１１の長手方向の中央部近傍の空隙１３ａ内には、中央部から両端部へ向けて伸張する傾斜ステージ１４がある。傾斜ステージ１４は、下段ステージ板１１の中央部から両端部方向に向けて下方向に向けて傾斜した傾斜部１４ａと、その両端部の垂直に落ち込んだ垂直部１４ｂとからなる。傾斜ステージ１４の中央部、すなわち傾斜ステージ１４の最も高さの高いピーク位置は、上段ステージ板１２の落下誘導溝１２ｂ’の後方にあって、遊技球案内口１５が形成されている。故に、落下誘導溝１２ｂ’内を転がってきた遊技球は遊技球案内口１５に入球するのである。遊技球案内口１５は、下段ステージ板１１の下を通って、ステージ構造体５の下部に設けられた排出穴１６に案内通路１７を介して連通している。排出穴１６の径は、遊技球の径よりもわずかに大である。排出穴１６は、電動チューリップの如き、可動入賞口７の直上に設けられている（図１参照）。
【００２４】
一方、更に図４及び図５を併せて参照すると、傾斜ステージ１４の両端部の垂直部１４ｂでは、下段ステージ板１１の上面と上段ステージ板１２の下面との間の高さ間隔Ｌが少なくとも遊技球の径よりも大である。なお、上段ステージ板１２の長手方向両端部から、傾斜ステージ１４の両端部の垂直部１４ｂ近傍まで仕切り板１８が形成されており、仕切り板１８と傾斜ステージ１４の垂直部１４ｂとの間に連通路１９が形成されている。故に、空隙１３ａ内の下段ステージ板１１上にある遊技球は、連通路１９を通って、上段ステージ板１２の下部に進入するのである。
【００２５】
以上の如き、本発明の実施例によるステージ構造を含む遊技機の動作について説明する。
【００２６】
遊技盤１ａ内に発射された遊技球が入賞口４及び４’に入球すると、遊技盤１ａの裏面を通って連通する遊技球誘導通路（図示せず）、及び、中央役物装置２の張出部２ｃ及び２ｃ’の遊技球排出口（図示せず）を介して、ステージ構造体５の遊技球入口５ａ及び５ａ’にそれぞれ落下する。更に、遊技球は、ステージ穴６及び６’から上段ステージ板１２の中央部方向へ向けて排出されて、上段ステージ板１２の側壁部１２ａ上に落下する。遊技球には中心軸Ｃ２方向への力が作用する。一方、ステージ穴６及び６’近傍の上段ステージ板１２の端部近傍では、上段ステージ板１２は中央部へ向けて傾斜しているため、遊技球には上段ステージ板１２の長手方向中央部へ向けて転がろうとする力が作用する。故に、遊技球は上段ステージ板１２上を前後（＋／−Ｚ軸）方向に揺動しながら、上段ステージ板その長手方向に沿って転がるのである。
【００２７】
ここで、遊技球はステージ穴６及び６’から排出されるときの初速などの条件によって、上段ステージ板１２上において、
（１）側壁部１２ａ若しくは１２ａ’を越えて上段ステージ板１２の外部に落下する、
（２）側壁部１２ａに形成された落下誘導溝１２ｂに落下して、上段ステージ板１２の前方に落下する、
（３）側壁部１２ａ’に形成’された落下誘導溝１２ｂ’に落下して、遊技球案内口１５、案内通路１７を介して排出穴１６から遊技盤１ａに排出される、
のいずれかの径路を取る。
【００２８】
ところで、（１）において、従来の遊技球としてのパチンコ玉を使用したときに、遊技球が側壁部１２ａ若しくは１２ａ’を越えて上段ステージ板１２の外部に落下するためには、上段ステージ板１２のＹＺ断面における最も高さの低い中央部の位置と高さの最も高い両端部の位置との差Ｄ（図４参照）が上段ステージ板１２の幅の１／１５以下であることが好ましい。すなわち、上段ステージ板１２の幅が４０〜５０ｍｍのときＤは２〜３ｍｍ程度であることが好ましい。
【００２９】
更に、遊技球は、中央役物装置２の内部の空間２ａ内において対向するステージ穴６及び６’の双方から上段ステージ板１２の長手方向中央部へ向けて進行しようとする。故に、上段ステージ板１２の上で遊技球同士が衝突する場合もある。かかる場合、遊技球にはいろいろな方向への運動が与えられるため、上段ステージ板１２上での遊技球の運動に変化が与えられて、遊技者の注目を高めることが出来るのである。
【００３０】
上記した（１）は、更に、
（Ｉ）側壁部１２ａを越えて上段ステージ板１２の前方に落下して遊技盤１ａに排出される、
（ＩＩ）側壁部１２ａ’を越えて上段ステージ板１２の後方の空隙１３ａに落下して、傾斜ステージ１４を介して、若しくは、直接、下段ステージ板１１上に落下して側壁部１１ａ’に落下する、
の２つのいずれかの径路を通る。なお、上記した（ＩＩ）において、空隙１３ａに落下した遊技球は落下誘導溝１２ｂ’の後方の遊技球案内口１５に入らない限り、案内板１３に衝突するか、若しくは、傾斜ステージ１４に沿って案内されて、下段ステージ板１１上に導かれるのである。
【００３１】
更に、上記した（ＩＩ）において、遊技球は、連通路１９を通って、上段ステージ板１２の下部に進入する。下段ステージ板１１上においても遊技球は、前後方向に揺動しながら、その長手方向中央部に向けて転がる。これによって、下段ステージ板１１上において、遊技球は、
（ｉ）側壁部１１ａを越えて下段ステージ板１１の前方に落下して遊技盤１ａに排出される、
（ｉｉ）排出溝１１ｂに落下して下段ステージ板１１の前方に落下して遊技盤１ａに排出される、
の２つのいずれかの径路を通るのである。
【００３２】
以上において、まず、上記した（３）の場合、排出穴１６から排出される遊技球は遊技盤１ａと垂直方向に向けて排出されるため、排出穴１６の直下にある可動入賞口７に高い確率で入球することが可能である。
【００３３】
次に、（１）（ＩＩ）（ｉｉ）の場合、排出溝１１ｂに落下した遊技球は、下段ステージ板１１の長手方向への運動成分が小さければ小さいほど、排出溝１１ｂの直下にある可動入賞口７に高い確率で入球可能である。例えば、下段ステージ板の左方に上段ステージ板１２から落下した遊技球が一旦、排出溝１１ｂに落下したのちに、これを越えて上段ステージ板１２の右方向へ進み、進路を反転させた後にゆっくりと排出溝１１ｂに再度落下したような場合は、可動入賞口７に入球し易いと言うことが出来る。
【００３４】
最後に、（１）（Ｉ）、（１）（ＩＩ）（ｉ）、（２）の場合にあっては、遊技球の下段ステージ板１１からの落下位置と可動入賞口７の位置とがＸ軸方向において大きく異なるため、図示しない遊技盤１ａ内に植設されたピンなどによってはじかれて遊技球のＸ軸方向の進路を大きく変更されない限り、可動入賞口７に入球するのは困難なのである。
【００３５】
以上の如く、下段ステージ板１１の最下部である中央部の直下に電動チューリップの如き、「あたり」としての可動入賞口７を設けた場合、下段ステージ板１１の長手方向への運動成分をほとんど有せずに、遊技盤１ａに垂直な方向にのみ運動成分を有する遊技球ほど可動入賞口７に入球する確率が高いのである。すなわち、上段ステージ板１２から落下する遊技球のうち、排出溝１１ｂの近傍に落下した遊技球ほど下段ステージ板１２によって当該長手方向の運動成分を付与されることが少ないため、遊技盤１ａに略垂直に伸びる排出口１１ｂによって遊技盤１ａに垂直な方向の運動成分を与えられるため当選確率が高いのである。
【００３６】
本発明の実施例によるステージ構造では、上下方向に二段にステージを設けるとともに上段ステージ板と案内板との間に空隙が設けられているため、このような空隙を有さずに階段状に後方から手前側へむけて低く形成された複数のステージを並置する従来のステージ構造と比較して、１つのステージ上において遊技球を前後両方向へ移動せしめることができて、遊技球の動作にバリエーションを加えることができるのである。このように遊技球を１つのステージ上で前後方向へ移動せしめることで、中央役物内の空間の奥行き感を遊技者に与える視覚的効果を得られるのである。しかも、単純な構成ながら、遊技球の当選確率の振り分けパターンは多岐に亘るため、遊技者の高い注目を集めることが出来るのである。
【図面の簡単な説明】
【００３７】
【図１】本発明の実施例によるステージ構造を含む遊技機の図である。
【図２】本発明の実施例によるステージ構造を含む中央役物装置の図である。
【図３】本発明の実施例によるステージ構造の図である。
【図４】本発明の実施例によるステージ構造の要部の断面図である。
【図５】本発明の実施例によるステージ構造の正面図である。
【符号の説明】
【００３８】
１                遊技機
１ａ              遊技盤
２                中央役物装置
４、４’          入賞口
５                ステージ構造体
６，６’          ステージ穴
７                可動入賞口
１１              下段ステージ板
１１ａ、１１ａ’  側壁部
１１ｂ            排出溝
１２              上段ステージ板
１２ａ、１２ａ’  側壁部
１２ｂ、１２ｂ’  第２の落下誘導溝
１３              案内板
１３ａ            空隙
１４              傾斜ステージ
１５              遊技球案内口
１６              排出穴
１７              案内通路
１８              仕切り板
１９              連通路
【図１】
2006239294.tif 000003
【図２】
2006239294.tif 000004
【図３】
2006239294.tif 000005
【図４】
2006239294.tif 000006
【図５】
2006239294.tif 000007